(57)【要約】【課題】床部の低床化に寄与することができ、しかも床部下に備品等を置いておけるスペースを確保することのできる、床部昇降機能を有するベッド装置を提供する。【解決手段】ベッドフレーム２側面側に配置した昇降ユニット３によって、ベッドフレーム２および床部を、昇降可能に支持する構成とする。前記昇降ユニット３は、ベース４とベース４に立設したベッド装置１の脚部に相当するマスト５とを有し、マスト５に沿って設けた昇降機構６を介して、ベッドフレーム２側面からベッドフレーム２を昇降可能に取り付ける。前記昇降機構６は、前記マスト５に設けた一対の昇降ガイド７，７と、これら昇降ガイド７，７に沿って昇降可能に設けた昇降体８とを備え、この昇降体８には、電動アクチュエータ９における起動軸９ａを連結する。【選択図】　　　　　　　図１
2004016749.tif 000002
【特許請求の範囲】
【請求項１】
ベッドフレームおよび床部を、ベッドフレーム両側面のいずれかの側面側に移動可能に配置した昇降ユニットにより昇降可能に支持する構成とし、この昇降ユニットは、ベースとベースに立設したマストと、マストに昇降機構を介して昇降可能に設けて、ベッドフレーム両側面のうちいずれかの側面に着脱可能に取り付ける昇降体とを備えたことを特徴とする床部昇降機能を有するベッド装置。
【請求項２】
前記ベースに、ロック手段を有する移動用キャスタを設けたことを特徴とする請求項１記載の床部昇降機能を有するベッド装置。
【請求項３】
前記昇降体は、マストに設けた昇降ガイドに、水平状態を維持しつつ昇降可能に取り付けてなり、前記昇降機構は、駆動源として電動アクチュエータを前記マストに取り付けて、電動アクチュエータを構成する軸方向に進退駆動する起動軸を前記昇降体に連結する構成としたことを特徴とする請求項１記載の床部昇降機能を有するベッド装置。
【請求項４】
前記昇降機構は、駆動源として油圧シリンダを前記マストに取り付け、油圧シリンダを構成する作動ロッド先端を、前記昇降体に連結する構成としたことを特徴とする請求項１記載の床部昇降機能を有するベッド装置。
【請求項５】
前記昇降機構は、前記マスト下部、上部間にスプロケットを配し、これらスプロケット間に掛け渡したチェーンの両端を、それぞれ昇降体の上部下部に取り付け、駆動源により前記マスト下部、上部側いずれかのスプロケットを駆動させ、チェーンを介して前記昇降体をマストに設けた昇降ガイドに沿って昇降させる構成したことを特徴とする請求項１記載の床部昇降機能を有するベッド装置。
【請求項６】
前記昇降機構は、駆動源として鉛直方向に指向して進退作動する進退起動軸を有する直動駆動機構を備え、この直動駆動機構における進退起動軸の先端に、進退起動軸の軸方向に直交する支軸を中心として回動可能な滑車を設け、この滑車にワイヤを掛け渡して、このワイヤの一端をマストに固定する一方、ワイヤの他端側を昇降体に連結し、前記直動駆動機構を起動して進退起動軸を進退作動させて進退起動軸先端に取り付けた前記支軸を介して滑車を上下動させることで、ワイヤを介して前記昇降体を昇降ガイドに沿って昇降させる構成としたことを特徴とする請求項１記載の床部昇降機能を有するベッド装置。
【請求項７】
前記昇降機構は、駆動源として鉛直方向に指向して進退作動する進退起動軸を有する直動駆動機構を備え、この直動駆動機構における進退起動軸の先端に、進退起動軸の軸方向に直交する支軸を中心として回動可能なスプロケットを設け、このスプロケットにチェーンを掛け渡して、このチェーンの一端をマストに固定する一方、チェーンの他端側を昇降体に連結し、前記直動駆動機構を起動して進退起動軸を進退作動させて進退起動軸先端に取り付けた前記支軸を介してスプロケットを上下動させることで、チェーンを介して前記昇降体を昇降ガイドに沿って昇降させる構成としたことを特徴とする請求項１記載の床部昇降機能を有するベッド装置。
【発明の詳細な説明】
【０００１】
【発明の属する技術分野】
本発明は、床部の低床化が可能な、床部昇降機能を有するベッド装置に関するものである。
【０００２】
【従来の技術】
従来、昇降機能を有するベッド装置（病院用ベッド、在宅用ベッド）では、昇降機構は、床部直下のベッドフレームに設けられ、床部下の空間が占有されていた。
【０００３】
【発明が解決しようとする課題】
そのため、このようなベッド装置では、低床化には限度があった。
また前記ベッド装置では、ベッドフレーム下方の空間に介護用品を初めとする備品を置く余裕や、医療機器等の脚部が入り込む余地はないといってよい。
本発明はこのような背景から提案されたものであって、床部の低床化に寄与することができ、しかも床部下に備品等を置いておけるスペースを確保することのできる、床部昇降機能を有するベッド装置を提供することを目的とする。
【０００４】
【課題を解決するための手段】
前記した課題を解決するために、本発明では、請求項１において、ベッドフレームおよび床部を、ベッドフレーム両側面のいずれかの側面側に移動可能に配置した昇降ユニットにより昇降可能に支持する構成とし、この昇降ユニットは、ベースとベースに立設したマストと、マストに昇降機構を介して昇降可能に設けて、ベッドフレーム両側面のうちいずれかの側面に着脱可能に取り付ける昇降体とを備えた床部昇降機能を有するベッド装置を提案する。
また本発明では、請求項２において、前記ベースに、ロック手段を有する移動用キャスタを設けた床部昇降機能を有するベッド装置を提案する。
また本発明では、請求項３において、前記昇降体は、マストに設けた昇降ガイドに、水平状態を維持しつつ昇降可能に取り付けてなり、前記昇降機構は、駆動源として電動アクチュエータを前記マストに取り付けて、電動アクチュエータを構成する軸方向に進退駆動する起動軸を前記昇降体に連結する構成とした床部昇降機能を有するベッド装置を提案する。
また本発明では、請求項４において、前記昇降機構は、駆動源として油圧シリンダを前記マストに取り付け、油圧シリンダを構成する作動ロッド先端を、前記昇降体に連結する構成とした床部昇降機能を有するベッド装置を提案する。
また本発明では、請求項５において、前記昇降機構は、前記マスト下部、上部間にスプロケットを配し、これらスプロケット間に掛け渡したチェーンの両端を、それぞれ昇降体の上部下部に取り付け、駆動源により前記マスト下部、上部側いずれかのスプロケットを駆動させ、チェーンを介して前記昇降体をマストに設けた昇降ガイドに沿って昇降させる構成した床部昇降機能を有するベッド装置を提案する。
また本発明では、請求項６において、前記昇降機構は、駆動源として鉛直方向に指向して進退作動する進退起動軸を有する直動駆動機構を備え、この直動駆動機構における進退起動軸の先端に、進退起動軸の軸方向に直交する支軸を中心として回動可能な滑車を設け、この滑車にワイヤを掛け渡して、このワイヤの一端をマストに固定する一方、ワイヤの他端側を昇降体に連結し、前記直動駆動機構を起動して進退起動軸を進退作動させて進退起動軸先端に取り付けた前記支軸を介して滑車を上下動させることで、ワイヤを介して前記昇降体を昇降ガイドに沿って昇降させる構成とした床部昇降機能を有するベッド装置を提案する。
さらに本発明では、請求項７において、前記昇降機構は、駆動源として鉛直方向に指向して進退作動する進退起動軸を有する直動駆動機構を備え、この直動駆動機構における進退起動軸の先端に、進退起動軸の軸方向に直交する支軸を中心として回動可能なスプロケットを設け、このスプロケットにチェーンを掛け渡して、このチェーンの一端をマストに固定する一方、チェーンの他端側を昇降体に連結し、前記直動駆動機構を起動して進退起動軸を進退作動させて進退起動軸先端に取り付けた前記支軸を介してスプロケットを上下動させることで、チェーンを介して前記昇降体を昇降ガイドに沿って昇降させる構成とした床部昇降機能を有するベッド装置を提案する。
【０００５】
請求項１によれば、昇降ユニットはベッドフレームの幅方向両側面の、どちらでも配置可能であり、配置した側面側から前記ベッドフレームに昇降体を取り付けることができ、使用者の居住空間や、病院、施設の居室レイアウトに対応することができる。
このように、昇降ユニットはいわゆる片持ち構造であるので、昇降ユニットを配置していない側面側は大きな空間が確保され、医療機器などの脚部が入る余地ができ、しかも様々なベッド用備品を保管して置くことができる。
【０００６】
請求項２によれば、昇降ユニットを容易に移動させることができると共に、ロック手段によって移動用キャスタをロックし、移動先において昇降ユニットを動かないように保持することができる。
【０００７】
請求項３によれば、昇降機構における電動アクチュエータを起動すると、起動軸が進退駆動し、起動軸を介して昇降体を昇降させ、ベッドフレームおよび床部を昇降動作させることができる。
【０００８】
請求項４によれば、昇降機構における油圧シリンダを起動すると、作動ロッドが進退駆動し、作動ロッドを介して昇降体を昇降させ、ベッドフレームおよび床部を昇降動作させることができる。
【０００９】
請求項５によれば、駆動源により前記マスト下部、上部側いずれかのスプロケットを駆動させ、チェーンを介して前記昇降体をマストに設けた昇降ガイドに沿って昇降させることができる。
【００１０】
請求項６によれば、直動駆動機構を起動して進退起動軸を進退作動させて進退起動軸先端に取り付けた前記支軸を介して滑車を上下動させることで、ワイヤを介して前記昇降体を昇降させることができる。この際、前記滑車は動滑車としての作用をなし、昇降すべきベッドフレームの所要昇降範囲を確保するための、直動駆動機構における進退起動軸の動作ストロークを、より少なくすることができる。
【００１１】
請求項７によれば、直動駆動機構を起動して進退起動軸を進退作動させて進退起動軸先端に取り付けた前記支軸を介してスプロケットを上下動させることで、チェーンを介して前記昇降体を昇降させることができる。この際、前記スプロケットは動滑車としての作用をなし、昇降すべきベッドフレームの所要昇降範囲を確保するための、直動駆動機構における進退起動軸の動作ストロークを、より少なくすることができる。
【００１２】
【発明の実施の態様】
以下、本発明にかかる床部昇降機能を有するベッド装置につき、一つの実施の態様を示し、添付の図面に基づいて説明する。
図１、図２に示されるベッド装置１は、ベッドフレーム２側面側に配置した昇降ユニット３によって、ベッドフレーム２および床部（図示省略）を、昇降可能に支持する構成としている。
【００１３】
前記昇降ユニット３は、床面に接地するベッド装置１の基台としてのベース４とベース４に立設したベッド装置１の脚部に相当するマスト５とを有し、マスト５に沿って設けた昇降機構６を介して、ベッドフレーム２側面からベッドフレーム２を昇降可能に取り付けている。
【００１４】
前記ベース４は、接地面が支持すべき前記ベッドフレーム２および床部の横幅寸法に近い長さ寸法を有し、このベース４接地面の長手方向を、ベッドフレーム２横幅方向に指向するようにしている。
また前記ベース４には、ロック手段を有する移動用キャスタＣを設けることができる。
【００１５】
前記マスト５は、前記ベース４の基端部側に、鉛直状に立設した枠体で構成し、ベッドフレーム２および床部の昇降範囲を決定付ける高さ寸法を有している。
【００１６】
そして前記昇降機構６は、前記マスト５の、昇降すべきベッドフレーム２に対向する面に設けた、一対の昇降ガイド７，７と、これら昇降ガイド７，７に沿って昇降可能に設けた昇降体８とを備えている。そしてこの昇降体８には、前記マスト５に設けた電動アクチュエータ９を構成する起動軸９ａを連結している。
なお前記電動アクチュエータ９の他、駆動源として油圧シリンダ（図示省略）を用いることもでき、油圧シリンダを構成する作動ロッド先端に前記昇降体８を連結することができる。
【００１７】
前記昇降ガイド７，７は、マスト５に沿って、上下方向（鉛直方向）に、互いに平行に設けた、適宜な構造の直線案内枠部材（例えばＨ型レール状ガイド）で構成することができる（図３参照）。
【００１８】
さらに前記昇降体８は馬蹄形状のもので、基端部８ａと一対の昇降腕８ｂ，８ｂとを有している（図４参照）。前記基端部８ａには、前記昇降ガイド７，７に昇降可能に係合してなる取付腕１０，１０が突設され、さらにこれら取付腕１０，１０間に設けた横部材１１に突設した突部１２に、前記電動アクチュエータ９における起動軸９ａを結合するようにしている。
そして前記昇降体８は、昇降すべきベッドフレーム２の裏面側に設けた、昇降体外形に対応した形状の係合凹部１３に係合させて、固定ねじ１４により、昇降体８とベッドフレーム２とを固定するようにしている。
なお、前記昇降体８とベッドフレーム２との取付構造は、固定ねじ１４によるもの以外に、図示は省略するがベッドフレーム２裏面側に設けた装着溝に挿脱可能として、適宜な抜止手段によってベッドフレーム２を保持する構造とすることも可能である。
【００１９】
以上のように構成されるベッド装置１において、昇降ユニット３はベッドフレーム２の幅方向両側面の、どちら側にも配置することができる。前記昇降ユニット３はベース４に設けた移動用キャスタＣによって容易に移動させることができると共に、ロック手段によってをロックし、移動先において昇降ユニット３を動かないように保持することができる。
この際、昇降ユニット３における昇降体８の基端部８ａおよび昇降腕８ｂ，８ｂを、ベッドフレーム２裏面の係合凹部１３に係合させて、固定ねじ１４により、昇降体８とベッドフレーム２とを固定することで、ベッドフレーム２を支持することができる。
このように、使用者の居住空間や、病院、施設の居室レイアウトに応じて、昇降ユニット３を移動配置することができ、設置自由度が高い。
また前記昇降ユニット３はいわゆる片持ち構造であるので、昇降ユニット３を配置していない側面側は、大きな空間が確保され、医療機器（Ｘ線撮影等）などの脚部が入る余地ができ、しかも様々な備品（例えば介護用品（テーブルやリフト））を保管して置くことができる。
【００２０】
前記昇降機構６における電動アクチュエータ９を起動すると、起動軸９ａが進退駆動し、起動軸９ａ先端と連結した、昇降体８における基端部８ａの取付腕１０，１０間の横部材１１に突設した突部１２を介し、取付腕１０，１０が、マスト５に形成した昇降ガイド７，７に沿って上動し、一対の昇降腕８ｂ，８ｂを介してベッドフレーム２および床部を上昇させることができる。
なお、ベッドフレーム２下面側には、通常の床部起伏機構が存在するだけで、他の構成体は存在しないため、前記床部起伏機構が床面に当たらない位置まで、ベッドフレーム２の下降限度を拡げることができ、低床化に大いに寄与することができる。
そしてベッド装置１の低床化は、使用者がベッド装置１から落下するようなことがあっても、衝撃をそれだけ小さくすることができ、怪我のおそれを少なくすることができる。
【００２１】
また本発明にかかる床部昇降機能を有するベッド装置は、図５に示すように構成することができる。
この場合の昇降ユニット３における昇降機構６として、マスト５下部、上部間にスプロケット１５，１５を配し、これらスプロケット１５，１５間に掛け渡したチェーン１６の両端を、それぞれ昇降体８の基端部８ａ上部下部に取り付け、適宜な駆動源（モータ他、ハンドル等手動操作手段も可、図示省略）によりスプロケット１５を回転させ、チェーン１６を介して昇降体８をマスト５における昇降ガイド７，７に沿って昇降させる構成としている。
【００２２】
以上のような昇降機構６においても、機構を構成する構成体であるスプロケット１５，１５、チェーン１６、さらには駆動源をマスト５側に配設することができ、ベッドフレーム２下面側に突出することはなく、ベッドフレーム２の下降限度を拡げることができ、低床化に大いに寄与することができる。
【００２３】
また本発明にかかる床部昇降機能を有するベッド装置は、図６、図７に示すように構成することもできる。
この場合の昇降ユニット３では、マスト５における両縦枠部５ａ，５ａをガイドとして、昇降体８の基端部８ａを装入している。
さらに前記昇降体８は、両昇降腕８ｂ，８ｂを繋ぐ横基軸８ｃ中央に中央基部８ｄを固設し、この中央基部８ｄを前記マスト５中央に介設した中央ガイド５ｂに昇降可能に結合している。
そしてこの昇降ユニット３における昇降機構６では、直動駆動機構１７を有し、直動駆動機構１７における進退起動軸１７ａが鉛直方向に指向して進退作動するようにマスト５に装着している。
なお、かかる直動駆動機構１７には、電動アクチュエータを用いることができるし、油圧シリンダを用いることもできる。
【００２４】
かかる直動駆動機構１７における進退起動軸１７ａの先端に、進退起動軸１７ａの軸方向に直交すると共に、マスト５に設けた支軸ガイド５ｃ，５ｃの昇降溝５ｓ，５ｓに沿って昇降可能に配置した支軸１８を中心として回動可能な滑車１９を設け、この滑車１９にワイヤ２０を掛け渡して、このワイヤ２０の一端をマスト５下端側に固定する一方、ワイヤ２０の他端側を前記昇降体８における中央基部８ｄに連結し、前記直動駆動機構１７を起動して進退起動軸１７ａを進退作動させて進退起動軸１７ａ先端に取り付けた前記支軸１８を介して滑車１９を支軸ガイド５ｃ，５ｃに沿って上下動させることで、ワイヤ２０を介して前記昇降体８を昇降させる構成としている。
なお、前記滑車１９とワイヤ２０とで構成する機構の他、スプロケットとチェーンとで構成する機構（図示省略）も可能である。
【００２５】
以上のような昇降機構６を用いれば、直動駆動機構１７を起動して進退起動軸１７ａを進退作動させて進退起動軸１７ａ先端に取り付けた前記支軸１８を介して滑車１９を上下動させることで、ワイヤ２０を介して前記昇降体８をマスト５における両縦枠部５ａ，５ａをガイドとして昇降させることができるが、前記滑車１９は動滑車として作用し、ベッドフレーム２の昇降ストロークに対し、進退起動軸１７ａの昇降ストロークを約半分程に抑えることができる。
これにより、マスト５の所要高さを低く設定することが可能となり、昇降ユニット３のコンパクト化が可能となる。
以上のように昇降ユニット３の高さ寸法を低くすることができるので、ベッドとして使用するとき、マスト５上方には大きな空間が生まれる。さらには、マスト５を低くすることができるので、使用者に、閉塞感や圧迫感を抱かせるようなことはない。
【００２６】
【発明の効果】
以上の通り、本発明によれば、
（１）ベッドの昇降ユニットがベッド側方へ移ることにより、ベッド下部空間が大幅に空く。
（２）ベッド下部空間が空くことにより、ベッドフレームを低い位置まで下げることができる。
（３）介護用品や医療機器がベッド下方空間に入りやすくなり、使い勝手が向上する。
（４）ベッドの低床化が促進されることで、使用者がベッドから落下するなどの危険性を低減することにもつながる。
【００２７】
【図面の簡単な説明】
【図１】本発明にかかる床部昇降機能を有するベッド装置の一例を示す、外観斜視図である。
【図２】図１に示すベッド装置の側面説明図である。
【図３】図１に示すベッド装置の平面図である。
【図４】図１に示すベッド装置における昇降ユニットの昇降体とベッドフレームの支持構造の一例を示した、分解斜視説明図である。
【図５】本発明にかかる床部昇降機能を有するベッド装置の別例を示す、側面説明図である。
【図６】本発明にかかる床部昇降機能を有するベッド装置の別例を示す、外観斜視図である。
【図７】図６に示すベッド装置の側面説明図である。
【符号の説明】
１　　　　　　　　　　　　　　ベッド装置
２　　　　　　　　　　　　　　ベッドフレーム
３　　　　　　　　　　　　　　昇降ユニット
４　　　　　　　　　　　　　　ベース
５　　　　　　　　　　　　　　マスト
５ａ　　　　　　　　　　　　　縦枠部
５ｂ　　　　　　　　　　　　　中央ガイド
５ｃ　　　　　　　　　　　　　支軸ガイド
５ｓ　　　　　　　　　　　　　昇降溝
６　　　　　　　　　　　　　　昇降機構
７　　　　　　　　　　　　　　昇降ガイド
８　　　　　　　　　　　　　　昇降体
８ａ　　　　　　　　　　　　　基端部
８ｂ　　　　　　　　　　　　　昇降腕
８ｃ　　　　　　　　　　　　　横基軸
８ｄ　　　　　　　　　　　　　中央基部
９　　　　　　　　　　　　　　電動アクチュエータ
９ａ　　　　　　　　　　　　　起動軸
１０　　　　　　　　　　　　　取付腕
１１　　　　　　　　　　　　　横部材
１２　　　　　　　　　　　　　突部
１３　　　　　　　　　　　　　係合凹部
１４　　　　　　　　　　　　　固定ねじ
１５　　　　　　　　　　　　　スプロケット
１６　　　　　　　　　　　　　チェーン
１７　　　　　　　　　　　　　直動駆動機構
１７ａ　　　　　　　　　　　　進退起動軸
１８　　　　　　　　　　　　　支軸
１９　　　　　　　　　　　　　滑車
２０　　　　　　　　　　　　　ワイヤ
Ｃ　　　　　　　　　　　　　　移動用キャスタ
【図１】
2004016749.tif 000003
【図２】
2004016749.tif 000004
【図３】
2004016749.tif 000005
【図４】
2004016749.tif 000006
【図５】
2004016749.tif 000007
【図６】
2004016749.tif 000008
【図７】
2004016749.tif 000009